(57)【要約】【課題】パーソナルデータベースを提供する方法の提供。【解決手段】本パーソナルデータベースの製作方法は、ウェブサイトを会員入口として提供し、会員は紙書籍をウェブサイトサービスプロバイダに提供し、該ウェブサイトサービスプロバイダは紙書籍を専門技術で電子化し、電子ファイルとデータベースを構築し、会員は、該ホームページに登録した後、オンラインで該電子ファイルを閲覧或いはダウンロードするサービスを享受できる。企業クライントは、ウェブサイトサービスプロバイダの提供する高速紙書籍電子化サービスにより、電子図書館を構築でき、該ウェブサイトサービスプロバイダは管理サービスを提供する。【選択図】図１
2012226727.tif 000002
【特許請求の範囲】
【請求項１】
パーソナルデータベースを提供する方法において、
会員ＩＤを構築するステップ、
会員が紙書籍をウェブサイトサービスプロバイダに送り、該ウェブサイトサービスプロバイダが該紙書籍を高速撮影機で撮影するか或いはスキャンして電子ファイルとなすステップ、
該電子ファイルを会員専用のネットワーク空間にアップロードし、並びに無料ダウンロード閲読のサービスを提供するステップ、
会員専用の無料閲読ソフトを提供するステップ、
を包含することを特徴とする、パーソナルデータベースを提供する方法。
【請求項２】
請求項１記載のパーソナルデータベースを提供する方法において、該会員の提供する紙書籍を会員の希望により寄贈或いは返却するステップを包含することを特徴とする方法。
【請求項３】
請求項１記載のパーソナルデータベースを提供する方法において、該会員が電子ファイルを閲読装置中にて直接オンライン上で閲読するステップをさらに包含することを特徴とする方法。
【請求項４】
請求項３記載のパーソナルデータベースを提供する方法において、該閲読装置は、パーソナルコンピュータ、ノートブック形コンピュータ、フラットパネルコンピュータ、携帯情報端末装置、或いは携帯電話とすることを特徴とする方法。
【請求項５】
請求項３記載のパーソナルデータベースを提供する方法において、該会員は、該閲読装置にて直接オンライン上で閲読する前に、正確な会員ＩＤとパスワードを入力しなければ閲読を実行できないことを特徴とする方法。
【請求項６】
請求項１記載のパーソナルデータベースを提供する方法において、個人電子図書館を構築して管理を行うステップをさらに包含することを特徴とする方法。
【発明の詳細な説明】
【技術分野】
【０００１】
本発明はパーソナルデータベースを提供する方法に係り、特に一種の、ウェブサイトを会員入口として提供し、会員は紙書籍をウェブサイトサービスプロバイダに提供し、該ウェブサイトサービスプロバイダは紙書籍を専門技術で電子化し、電子ファイルとデータベースを構築し、会員が、該ホームページに登録した後、オンラインで該電子ファイルを閲読或いはダウンロードするサービスを享受できるようにする方法に関する。
【背景技術】
【０００２】
時代と共に、科学技術は不断に発展及び進化し、通信、ネットワーク等により、有線或いは無線の情報伝送技術を通して、生活において必要な情報が提供されている。このような情報伝送技術は現代社会の急速な変化の後、人々の時空を越えたコミュニケーションと知識獲得の要求を解決する。
【０００３】
インターネットの流行により、各タイプのウェブサイトが隆盛を究め、ビジネスチャンスを創造すると同時に、多くの情報を提供しており、データ流通が更に便利となっている。現在インターネット運用の原理において、人類生活で使用が必要な装置に使用技術の発展を整合させることが、現在の科学技術の研究開発の重点の一つである。
【０００４】
ネットワークを利用して商業手段を達成する方法は極めて多く、且つ出かけたくない客層の要求に符合する。例えば、ネットショッピング、ネットセール、ネットバンキング等がある。さらには、あるウェブサイト上では映画或いは楽曲がシェアされる。ウェブサイトはまた、商業広告の掲載により利潤を得る目的を達成できる。一般人の閲読習慣は、伝統的な紙印刷物の本或いは雑誌から、次第にネットワーク上での電子ファイル閲読へと変化しており、これまでの重く嵩張る書籍を携帯する不便を解消している。しかし、一般にウェブ上の電子書籍は、必ずしも自分が閲読したい書籍を探せるわけではなく、尚も印刷された書籍で閲読しなければならないことが多い。本発明は、この問題を解決し、誰もが自分が閲読したい電子書籍を閲読できる便利性を享受できるようにする。
【発明の概要】
【発明が解決しようとする課題】
【０００５】
以上に述べた周知の技術の欠点を解決するため、本発明はパーソナルデータベースを提供する方法を提供し、それは、ウェブサイトを会員入口として提供し、会員は紙書籍をウェブサイトサービスプロバイダに提供し、該ウェブサイトサービスプロバイダは紙書籍を専門技術で電子化し、電子ファイルとデータベースを構築し、会員が、該ホームページに登録した後、オンラインで該電子ファイルを閲読或いはダウンロードするサービスを享受できるようにすることを目的とする。
【０００６】
本発明の別の目的は、会員が提供する紙書籍を会員の必要により、寄贈或いは返却するステップを設けることにある。
【０００７】
本発明の別の目的は、会員が、ウェブサイトサービスプロバイダの提供する高速紙書籍電子化のサービスにより、個人電子図書館を構築し、ウェブサイトサービスプロバイダにより管理サービスを提供できるようにすることにある。
【課題を解決するための手段】
【０００８】
上述の目的を達成するため、本発明は一種のパーソナルデータベースを提供する方法であり、それは、
会員ＩＤ構築ステップ、
会員が紙書籍をウェブサイトサービスプロバイダに送り、該ウェブサイトサービスプロバイダが該紙書籍を高速撮影機で撮影するか或いはスキャンして電子ファイルとするステップ、
該電子ファイルを会員専用のネットワーク空間にアップロードし、並びに無料ダウンロード閲読のサービスを提供するステップ、
会員専用の無料閲読ソフトを提供するステップ、
を包含する。
【０００９】
好ましくは、該会員の提供する紙書籍を会員の希望により寄贈或いは返却するステップを包含する。
【００１０】
好ましくは、該パーソナルデータベースを提供する方法は、さらに、会員が電子ファイルを閲読装置中にて直接オンライン上で閲読するステップを包含する。
【００１１】
好ましくは、該閲読装置は、パーソナルコンピュータ、ノートブック形コンピュータ、フラットパネルコンピュータ、携帯情報端末装置、或いは携帯電話とされる。
【００１２】
好ましくは、該会員は、閲読装置にダウンロードするか或いは直接オンライン上で閲読する前に、正確な会員ＩＤとパスワードを入力しなければ閲読を実行できないものとされる。
【００１３】
本発明のパーソナルデータベースを提供する別の方法は、以下のステップ、すなわち、  会員が紙書籍を提供するステップ、
該紙書籍を書籍台に置くステップ、
マシンアームを利用し、ページをめくり、並びに左右二側の押さえ板で紙書籍の左右のページを固定するステップ、
光源と左右二側の反射鏡を利用して撮影される紙書籍の輝度を高めるステップ、
紙書籍を高速撮影機で撮影するか或いはスキャンして、通用イメージファイルを製作するステップ、
該通用イメージファイルを特定形式の圧縮イメージファイルパケットとなすステップ、  及び会員専用の閲読ソフトを提供するステップ、
を包含する。
【００１４】
好ましくは、該マシンアームは、真空方式で、紙を吸引してページめくりを行う。
【００１５】
好ましくは、該書籍台はＶ字形を呈する。
【００１６】
好ましくは、左側の該反射鏡は紙書籍の右側を反射し、右側の該反射鏡は紙書籍の左側を反射する。
【発明の効果】
【００１７】
本発明は周知の技術の欠点を解決し、本発明はパーソナルデータベースを提供する方法を提供し、それは、ウェブサイトを会員入口として提供し、会員は紙書籍をウェブサイトサービスプロバイダに提供し、該ウェブサイトサービスプロバイダは紙書籍を専門技術で電子化し、電子ファイルとデータベースを構築し、会員が、該ホームページに登録した後、オンラインで該電子ファイルを無料閲読或いはダウンロードするサービスを享受できるようにする。
【図面の簡単な説明】
【００１８】
【図１】本発明の実施例のフローチャートである。
【図２】本発明の別の実施例のフローチャートである。
【発明を実施するための形態】
【００１９】
本発明の技術内容、構造特徴、達成する目的を詳細に説明するため、以下に実施例を挙げ並びに図面を組み合わせて説明する。
【００２０】
本発明は一種のパーソナルデータベースを提供する方法であり、それは、
ステップ１１：会員ＩＤ構築ステップ、
ステップ１２：会員が紙書籍をウェブサイトサービスプロバイダに送り、該ウェブサイトサービスプロバイダがそれを高速撮影機で撮影するか或いはスキャンして電子ファイルとなし、該会員の提供する紙書籍を会員の希望により寄贈或いは返却するステップ、
ステップ１３：該電子ファイルを会員専用のネットワーク空間にアップロードし、並びに無料ダウンロード閲読のサービスを提供するステップ、
ステップ１４：会員専用の無料閲読ソフトを提供し、該無料閲読ソフトは、一般に市販されている通用形式ではなく、ファイルサイズが小さく、操作機能が多く、解析度が高い特性を有するものとするステップ、
ステップ１５：該会員が電子ファイルを閲読装置中にて直接オンライン上で閲読し、該閲読装置は、パーソナルコンピュータ、ノートブック形コンピュータ、フラットパネルコンピュータ、携帯情報端末装置、或いは携帯電話とし、該会員は、該閲読装置にて直接オンライン上で閲読する前に、正確な会員ＩＤとパスワードを入力しなければ閲読を実行できないものとするステップ、
ステップ１６：電子図書館を構築し、管理を行うステップ、
以上を包含する。
【００２１】
図２を参照されたい。本発明のパーソナルデータベースを提供する別の方法は、以下のステップを包含し得る。
ステップ２１：会員が紙書籍を提供するステップ、
ステップ２２：該紙書籍を書籍台に置き、該書籍台はＶ字形を呈し、且つ該書籍台は透明材料で構成されたものとするステップ、
ステップ２３：マシンアームを利用し、ページをめくり、並びに左右二側の押さえ板で紙書籍の左右のページを固定し、該マシンアームは、真空方式で、紙を吸引してページめくりを行うものとするステップ、
ステップ２４：光源と左右二側の反射鏡を利用して撮影される紙書籍の輝度を高め、そのうち、左側の該反射鏡は紙書籍の右側を反射し、右側の該反射鏡は紙書籍の左側を反射するものとするステップ、
ステップ２５：紙書籍を高速撮影機で撮影するか或いはスキャンして、通用イメージファイルを製作し、該通用イメージファイルは、ＪＰＥＧ形式、ＢＭＰ形式、ＧＩＦ形式、ＴＩＦＦ形式、ＰＮＧ形式或いはマイクロソフトＯｆｆｉｃｅTM文書ソフトと互換性のある形式とするステップ、
ステップ２６：該通用イメージファイルを特定形式の圧縮イメージファイルパケットとなすステップ、
ステップ２７：会員専用の無料閲読ソフトを提供し、該無料閲読ソフトは、一般に市販されている通用形式ではなく、ファイルサイズが小さく、操作機能が多く、解析度が高い特性を有するものとするステップ、
を包含する。
【００２２】
上記ステップ２５のスキャナによる走査或いは撮影の作業は、Ｘｅｒｏｘ撮影、Ｐａｌｏ  Ａｔｏｓラボ特許技術、Ｋｉｒｔａｓ  Ｔｅｃｈｎｏｌｏｇｉｓ社の研究開発した高速書籍スキャナを結合させて行われる。全自動ページめくりスキャナは、書籍台を有し、該書籍台に各種サイズと厚さの書籍を置き、パラメータを選定すれば、自動的にページめくりして、毎時１２００ページをスキャンでき、一人の作業員が楽に５台のスキャナを操作でき、毎時間５０００ページのスキャンできる。該書籍台は１１０度のＶ字形設計とされ、装丁本を自然な方式で開いて置くのに符合し、ページめくりはマシンアームで真空吸引して行ない、ページめくりの後、さらに中心に対して両側に位置する押さえ板で左右に開いた状態で平らに押さえる。スキャンは、左右のページを往復スキャンし、Ｖ形の書籍台の両側それぞれに反射鏡があり、光源が左ページを照射する時、右側の反射鏡が映像をデジタルカメラ内に反射し、光源が右ページを照射する時、左側の反射鏡が映像をデジタルカメラ内に反射し、その後、マシンアームが次のページを吸引し、続いて、ページめくり、ページ押さえ、照明、撮影の一連の動作を行う。各動作は、いずれも精密に組み合わされ、書籍の正確なデジタル化作業を行うと共に、作業中の書籍の毀損を防止する。
【００２３】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【図１】
2012226727.tif 000003
【図２】
2012226727.tif 000004